(57)【要約】      （修正有）【課題】画像データの必要容量がＶＤＰの制御可能な容量以上を必要とする場合に対して容易に対応できる画像表示制御装置を提供する。【解決手段】Ｎｏｒ型Ｆｌａｓｈメモリの代替として、画像データを記憶しておくＮＡＮＤ型Ｆｌａｓｈメモリを搭載したＮＡＮＤ型Ｆｌａｓｈ記憶手段と、前記画像表示制御専用プロッセサが表示画面を構築するための画像データを一時的に格納しておく画像データ一時記憶手段と、前記ＮＡＮＤ型Ｆｌａｓｈ記憶手段から所望の画像データを前記画像データ一時記憶手段に転送制御を行う画像データ転送制御手段とを有する。【選択図】図２
0003143287.tif 000002
【実用新案登録請求の範囲】
【請求項１】
遊技機に使用する画像表示制御装置であって、Ｎｏｒ型Ｆｌａｓｈメモリを画像データ用記憶媒体として利用する画像表示制御専用プロッセサを有する画像表示制御装置において、Ｎｏｒ型Ｆｌａｓｈメモリの代替として、画像データを記憶しておくＮＡＮＤ型Ｆｌａｓｈメモリを搭載したＮＡＮＤ型Ｆｌａｓｈ記憶手段と、前記画像表示制御専用プロッセサが表示画面を構築するための画像データを一時的に格納しておく画像データ一時記憶手段と、前記ＮＡＮＤ型Ｆｌａｓｈ記憶手段から所望の画像データを前記画像データ一時記憶手段に転送制御を行う画像データ転送制御手段とを有することを特徴とする画像表示制御装置。
【請求項２】
請求項１における画像データ一時記憶手段がＤｕａｌ  Ｐｏｒｔ  ＲＡＭであることを特徴とする請求項１に記載の画像表示制御装置。
【請求項３】
請求項１又は請求項２におけるＮＡＮＤ型Ｆｌａｓｈ記憶手段と画像データ転送制御手段とのインターフェイスがＩＤＥインターフェースであるＮＡＮＤ型Ｆｌａｓｈ記憶手段であることを特徴とする請求項１又は請求項２に記載の画像表示制御装置。
【請求項４】
請求項１又は請求項２におけるＮＡＮＤ型Ｆｌａｓｈ記憶手段と画像データ転送制御手段とのインターフェイスがＳＤカードインターフェースであるＮＡＮＤ型Ｆｌａｓｈ記憶手段であることを特徴とする請求項１又は請求項２に記載の画像表示制御装置。
【請求項５】
請求項１又は請求項２におけるＮＡＮＤ型Ｆｌａｓｈ記憶手段と画像データ転送制御手段とのインターフェイスがＵＳＢフラッシュメモリカードインターフェースであるＮＡＮＤ型Ｆｌａｓｈ記憶手段であることを特徴とする請求項１又は請求項２に記載の画像表示制御装置。
【考案の詳細な説明】
【技術分野】
【０００１】
本考案は、パチンコ遊戯機及びパチスロ遊技機に使用される画像表示制御装置に関する。
【背景技術】
【０００２】
パチンコ遊戯機及びパチスロ遊技機に使用される画像表示制御装置の概要を図１に示す。画像表示制御装置２は、ホスト制御装置１から指示を受けて画像の表示制御を行う。画像表示制御装置２は、ホストｉｆ回路３、ＣＰＵ４、プログラムＲＯＭ５、ＲＡＭ６、ＶＲＡＭ（Ｖｉｄｅｏ  ＲＡＭ）７、ＶＤＰ（Ｖｉｄｅｏ
Ｄｉｓｐｌａｙ Ｐｒｏｃｅｓｓｏｒ）８、ＣＧＲＯＭ（Ｎｏｒ型Ｆｌａｓｈメモリ）１０、ＬＣＤ９からなる。ホストｉｆ回路３は、ホスト制御装置１からの指示を受ける機能を有する。ＲＡＭ６は、ＣＰＵ５のワーク用ＲＡＭとして動作する。プログラムＲＯＭ６は、ＣＰＵ５の制御プログラム、即ち、ホスト制御装置１からの命令に従い、ＬＣＤ１０に表示する画像の制御を行うためのＣＰＵ５の制御プログラムが格納されている。
【０００３】
ＣＧＲＯＭ９は、１個若しくは複数個のＮｏｒ型Ｆｌａｓｈメモリからなり、画像データが格納されている。ＶＤＰ８は、一般に画像制御プロセッサと呼ばれるもので、ＣＧＲＯＭ１０に格納されている画像データの中からＣＰＵ４からの指示されたデータをフレームメモリであるＶＲＡＭ７に転送し表示画像を構築し、ＬＣＤ９を制御して表示画像を表示させる。
【０００４】
このような装置が下記の特許文献１及び特許文献２に開示されている。
【特許文献１】特開2001-212305号公報
【特許文献２】特開2005-218727号公報
【考案の開示】
【考案が解決しようとする課題】
【０００５】
しかし、既存の画像表示制御装置に使用しているＶＤＰは、画像データの格納用ＣＧＲＯＭとしてＮｏｒ型Ｆｌａｓｈメモリを前提として設計されている。そのため、ＶＤＰの制御可能なＣＧＲＯＭの個数及び１個当りの制御可能なアドレス線本数により、ＶＤＰが扱える容量が決まってしまい、画像データの必要容量がＶＤＰの制御可能なＣＧＲＯＭの容量以上を必要とする場合に対しては容易に対応できなくなってしまうという欠点がある。
【課題を解決するための手段】
【０００６】
本考案による画像表示制御装置は、Ｎｏｒ型Ｆｌａｓｈメモリの代替として、画像データを記憶しておくＮＡＮＤ型Ｆｌａｓｈメモリを搭載したＮＡＮＤ型Ｆｌａｓｈ記憶手段と、前記画像表示制御専用プロッセサが表示画面を構築するための画像データを一時的に格納しておく画像データ一時記憶手段と、前記ＮＡＮＤ型Ｆｌａｓｈ記憶手段から所望の画像データを前記画像データ一時記憶手段に転送制御を行う画像データ転送制御手段とを有することを特徴とする。
【考案の効果】
【０００７】
本考案によれば、画像データの容量の増大に対して容易に対応可能となる。
【考案を実施するための最良の形態】
【０００８】
以下、本考案の実施形態を図面に関連付けて説明する。
【実施例】
【０００９】
図２は、本考案の画像表示制御装置の一実施例の構成図である。ホスト制御装置１からＬＣＤ９までは、図１で示した従来例と同じものである。
【００１０】
画像データ転送制御手段１１は、ＦＰＧＡ（Field  Proguramable  Gate  Aray）からなり、ＣＰＵから指示を受け、ＮＡＮＤ型Ｆｌａｓｈ記憶手段１２であるＣＦカードに記憶されている画像データのうち所望の画像データを、画像データ一時記憶手段１３であるＲＡＭに転送を行う機能を有する。このような画像データ転送制御手段１１の詳細の一例を図３に示す。
【００１１】
ＮＡＮＤ型Ｆｌａｓｈ記憶手段１２は、上述したようにＣＦカードからなり画像データが記憶されている。ＣＦカードからなるＮＡＮＤ型Ｆｌａｓｈ記憶手段１２は、インターフェースとしてＩＤＥインターフェースを使用している。画像データ一時記憶手段１３は上述のようにＲＡＭからなる。
【００１２】
周知のようにＣＦカードでは、Ｎｏｒ型Ｆｌａｓｈメモリのようにアドレス線にてアドレス情報を指示するものではなく、ＩＤＥレジスタを通じてアドレス情報の指示を行う。従って、ＩＤＥインターフェースを使用すれば、ＣＦカードの容量に依存することなく、物理的には同じインターフェースでもって様々な容量のＣＦカードに対応できることとなる。
【００１３】
図４は、本考案の画像表示制御装置の別の実施例のを示した図である。本実施例では、画像データ一時記憶手段１３としてＤｕａｌ  Ｐｏｒｔ  ＲＡＭ１３を使用している。Ｄｕａｌ  Ｐｏｒｔ  ＲＡＭ１３を使用することにより、ＶＤＰ８及び画像データ転送制御手段１１から画像データ一時記憶手段１３へのアクセスは、別々のバスを使用でき、また、画像データ転送制御手段１１であるＦＰＧＡの内部回路が簡単化できる。
【００１４】
本実施例における画像データ転送制御手段１１の詳細の一例を図５に示す。従って、ＶＤＰ８及び画像データ転送制御手段１１から画像データ一時記憶手段１３へのアクセスは、別々のバスを使用できるので、バス調停回路が不要になり、回路が簡素化でき、また、アクセスパフォーマンスを向上することもできる。
【００１５】
上述の例では、ＮＡＮＤ型Ｆｌａｓｈ記憶手段としてＣＦカードの例を示したが、本発明はこれに限るものではなく、ＮＡＮＤ型Ｆｌａｓｈメモリを搭載した他のもの、例えばＳＤカード、ＭＭＣカード、メモリスティック、ＵＳＢフラッシュメモリなどを使用してもよい。
【００１６】
さらに上述の例では、画像データ転送制御手段１１はＦＰＧＡを使用した例を示したが、本発明はこれに限るものではなく、ＡＳＩＣなどを使用してもよい。
【産業上の利用可能性】
【００１７】
本考案は、パチンコ関連産業において利用できるものである。
【図面の簡単な説明】
【００１８】
【図１】従来の実施例を示した図
【図２】本考案の一実施例を示した図
【図３】図４における画像データ転送制御手段の詳細を示した図
【図４】本考案の別の一実施例を示した図
【図５】図５における画像データ転送制御手段の詳細を示した図
【符号の説明】
【００１９】
１  ホスト制御装置
２  画像表示制御装置
３  ホストｉｆ回路
４  ＣＰＵ
５  プログラムＲＯＭ
６  ＲＡＭ
７  ＶＲＡＭ
８  ＶＤＰ
９  ＬＣＤ（液晶パネル）
１０  ＣＧＲＯＭ（Ｎｏｒ型Ｆｌａｓｈメモリ）
１１  画像データ転送制御手段（ＦＰＧＡ）
１２  ＮAND型Ｆｌａｓｈ記憶手段（ＣＦカード）
１３  画像データ一時記憶手段（ＲＡＭ）
１４  画像データ一時記憶手段（Ｄｕａｌ  Ｐｏｒｔ  ＲＡＭ）
【図１】
0003143287.tif 000003
【図２】
0003143287.tif 000004
【図３】
0003143287.tif 000005
【図４】
0003143287.tif 000006
【図５】
0003143287.tif 000007